(57)【要約】【課題】ラインヘッドを構成するヘッドブロックの取り付け位置ずれにより、２色の重色で形成されるカラー画像に生じる、各ヘッドブロックに対応するヘッド列単位での色合いの相違を、有効に抑制する。【解決手段】テスト印刷した印刷用紙からカラー画像を読み取って、ラインヘッドの２つのヘッドブロックのつなぎ目を挟んだ両側のベタ画像部分を、色差補正対象領域とする。つなぎ目の両側に位置する各ヘッドブロックに対応する画素部分間に色差がある場合は、どちらかの画素部分を主走査方向と副走査方向とに分割した補正単位格子単位で、ドット数が多い支配色のインク液滴の吐出ドロップ数の増減補正内容を、補正プロファイルデータとして生成する。生成した補正プロファイルデータを、色差補正対象領域中の一方のヘッドブロックに対応する画素部分に支配色のインク液滴を吐出する際に用いて、支配色のインク液滴の吐出ドロップ数を補正する。【選択図】図８
2015066744.tif 000002
【特許請求の範囲】
【請求項１】
ノズルを複数設けたヘッドブロックを主走査方向に沿って複数配置したラインヘッドを、前記主走査方向と直交する副走査方向に間隔をおいて色別に配置し、前記副走査方向に搬送した印刷用紙の同一画素上に各色のラインヘッドの対応するノズルからのインク液滴を着弾させて、２色のカラー画像を前記印刷用紙上に形成するライン型のインクジェット記録装置において、
前記ラインヘッドからのインク液滴により前記印刷用紙にテスト印刷した前記カラー画像から取得された、前記主走査方向において隣り合う２つのヘッドブロックに対応する各画素部分の色合いに関するデータから、両画素部分間の色差に関するデータを算出する色差データ算出手段と、
前記色差データ算出手段にて算出された前記色差に関するデータに基づき、前記２つのヘッドブロックに対応する画素部分間の色差を縮小するように、前記２つのヘッドブロックのうち一方のヘッドブロックに対して、少なくとも１色のインク液滴の吐出量を補正する補正データを生成する生成手段と、
前記補正データ生成手段で生成された前記補正データに基づき、前記色差を有する画素部分に対応する前記２つのヘッドブロックのうち一方のヘッドブロックから吐出されるインク液滴の吐出量を補正する補正手段と、
を備えることを特徴とするライン型インクジェット記録装置。
【請求項２】
前記補正データは、前記２つのヘッドブロックのノズルから吐出されたインク液滴の配置パターンが互いに同じである複数の補正単位格子を対象とし、前記２つのヘッドブロックにそれぞれ対応する画素部分の前記補正単位格子における前記２色のドットの重なり度合いに基づいて、前記補正単位格子の色差を縮小させるように生成されることを特徴とする請求項１記載のライン型インクジェット記録装置。
【請求項３】
前記２色のうち前記補正単位格子内に存在するドット数が多い色を支配色、ドット数が少ない色を被支配色とした場合、前記補正データは、前記補正単位格子内における前記支配色のインク液滴の吐出量を増減させるように生成されることを特徴とする請求項２記載のライン型インクジェット記録装置。
【発明の詳細な説明】
【技術分野】
【０００１】
本発明は、インクを吐出するノズルを主走査方向に複数配置したラインヘッドを、主走査方向と直交する副走査方向に間隔をおいて色別に配置した、ライン型のインクジェット記録装置に関する。
【背景技術】
【０００２】
インクジェット記録装置の分野では、主走査方向の画像形成（印刷）をいわゆるワンパスで行うことで高速印刷の実現を可能とした、ライン型のインクジェット記録装置の普及が進んでいる。
【０００３】
この種のインクジェット記録装置では、インクを吐出するノズルを主走査方向に複数配置したラインヘッドが用いられる。特に、２色以上のカラー印刷が可能なインクジェット記録装置では、色別のラインヘッドが、主走査方向と直交する副走査方向に間隔をおいて配置される。各色のラインヘッドは、主走査方向に並べてヘッドホルダに取り付けた複数のヘッドブロックで構成されている。
【０００４】
そして、副走査方向に搬送中の印刷用紙が各色のラインヘッドの下方を通過する際に、ラインヘッドの各ノズルからインク液滴を吐出させる。これにより、印刷用紙の同一の画素上に各色のインク液滴が重なって着弾し、印刷用紙上にカラー画像が形成される。
【０００５】
ところで、カラー対応のインクジェット記録装置では、印刷用紙の同じ画素に着弾させたい２色以上のインク液滴の着弾位置ずれが、その画素の色味を本来とは異なる色合いに変化させる不都合の原因となる。このようなインク液滴の着弾位置ずれは、ラインヘッドを構成するヘッドブロックの一部にヘッドホルダに対する取り付け位置のずれが存在すると発生する。
【０００６】
ヘッドブロックの取付位置ずれによるインク液滴の着弾位置ずれが原因で、そのヘッドブロックのノズルに対応する画素の色合いに変化が発生すると、主走査方向の隣接するヘッドブロックに対応する画素の色合いとの間に色差が生じてしまう。
【０００７】
ヘッドブロックの取付位置ずれに伴うインク液滴の着弾位置ずれについては、副走査方向に間隔をおいた２つのノズルから同一画素上にインク液滴をそれぞれ吐出し、各インク液滴の吐出量を乱数的に制御することで、各ノズルからのインク液滴の着弾位置ずれを補うことが、過去に提案されている（例えば、特許文献１）。
【先行技術文献】
【特許文献】
【０００８】
【特許文献１】特開２００６−１６８２４１号公報
【発明の概要】
【発明が解決しようとする課題】
【０００９】
ところで、主走査方向における１ライン分の画像を複数のヘッドブロックのノズルから吐出されるインク液滴で印刷するライン型のインクジェット記録装置においては、隣り合うヘッドブロックのノズルから吐出されたインク液滴で印刷された画像部分同士のつなぎ目を、より目立たなくすることが重要である。これは、隣接ヘッドブロックのつなぎ目に跨るベタ画像の色合いがつなぎ目を境界に変化すると、画質の低下を招いてしまうからである。
【００１０】
この点、上述した過去の提案は、インク液滴の着弾位置ずれによりドット間隔が変化して印刷用紙の画像上に白スジ（ドット間隔が広い場合）や黒スジ（ドット間隔が狭い場合）が発生するのを防ぐものであり、隣接ヘッドブロックのつなぎ目に跨るベタ画像が存在する際に、殊更、つなぎ目を跨いだ両側でベタ画像の色合いが同一となるようにするものではない。
【００１１】
本発明は前記事情に鑑みなされたものであり、本発明の目的は、ラインヘッドを構成するヘッドブロックの取り付け位置ずれにより、２色の重色で形成されるカラー画像に生じる、各ヘッドブロックに対応するヘッド列単位での色合いの相違を、有効に抑制することができるライン型インクジェット記録装置を提供することにある。
【課題を解決するための手段】
【００１２】
上記目的を達成するために、請求項１に記載した本発明のライン型インクジェット記録装置は、
ノズルを複数設けたヘッドブロックを主走査方向に沿って複数配置したラインヘッドを、前記主走査方向と直交する副走査方向に間隔をおいて色別に配置し、前記副走査方向に搬送した印刷用紙の同一画素上に各色のラインヘッドの対応するノズルからのインク液滴を着弾させて、２色のカラー画像を前記印刷用紙上に形成するライン型のインクジェット記録装置において、
前記ラインヘッドからのインク液滴により前記印刷用紙にテスト印刷した前記カラー画像から取得された、前記主走査方向において隣り合う２つのヘッドブロックに対応する各画素部分の色合いに関するデータから、両画素部分間の色差に関するデータを算出する色差データ算出手段と、
前記色差データ算出手段にて算出された前記色差に関するデータに基づき、前記２つのヘッドブロックに対応する画素部分間の色差を縮小するように、前記２つのヘッドブロックのうち一方のヘッドブロックに対して、少なくとも１色のインク液滴の吐出量を補正する補正データを生成する生成手段と、
前記補正データ生成手段で生成された前記補正データに基づき、前記色差を有する画素部分に対応する前記２つのヘッドブロックのうち一方のヘッドブロックから吐出されるインク液滴の吐出量を補正する補正手段と、
を備えることを特徴とする。
【００１３】
また、請求項２に記載した本発明のライン型インクジェット記録装置は、請求項１に記載した本発明のライン型インクジェット記録装置において、前記補正データは、前記２つのヘッドブロックのノズルから吐出されたインク液滴の配置パターンが互いに同じである複数の補正単位格子を対象とし、前記２つのヘッドブロックにそれぞれ対応する画素部分の前記補正単位格子における前記２色のドットの重なり度合いに基づいて、前記補正単位格子の色差を縮小させるように生成されることを特徴とする。
【００１４】
さらに、請求項３に記載した本発明のライン型インクジェット記録装置は、請求項２に記載した本発明のライン型インクジェット記録装置において、前記２色のうち前記補正単位格子内に存在するドット数が多い色を支配色、ドット数が少ない色を被支配色とした場合、前記補正データは、前記補正単位格子内における前記支配色のインク液滴の吐出量を増減させるように生成されることを特徴とする。
【発明の効果】
【００１５】
本発明によれば、ラインヘッドを構成するヘッドブロックの取り付け位置ずれにより、２色の重色で形成されるカラー画像に生じる、各ヘッドブロックに対応するヘッド列単位での色合いの相違を、有効に抑制することができる。
【００１６】
即ち、本発明が適用されるライン型インクジェットプリンタでは、各色のラインヘッドの中に、正しい位置に配置されていないラインヘッドが存在すると、同じ画素上に形成される各色のインク液滴の一部に着弾位置ずれが生じる。すると、その画素に形成される画像の色合いが、本来形成されるべき画像の色合いから変化する。
【００１７】
そして、請求項１に記載した本発明のライン型インクジェット記録装置によれば、印刷用紙にテスト印刷したテスト用のカラー画像から、主走査方向において隣り合う２つのヘッドブロックに対応する画素部分の色合いのデータが取得され、これに基づいて、両画素部分間の色差に関するデータが算出される。そして、カラー画像の印刷を行う際には、算出された補正データに基づいて、一方のヘッドブロックのノズルからのインク液滴の吐出量が、両画素部分間の色差を縮小させるように補正される。
【００１８】
よって、各色のラインヘッドの中に取付位置ずれしたヘッドブロックが存在していても、それにより、隣り合う２つのヘッドブロックに対応する画素部分間に色差が生じるのを、有効に抑制することができる。
【００１９】
また、請求項２に記載した本発明のライン型インクジェット記録装置によれば、請求項１に記載した本発明のライン型インクジェット記録装置において、補正単位格子内の各色のインク液滴の重なり度合いが大きいと、重なり度合いが小さい場合よりも、一方の色のドットと他方の色のドットとが重なる面積が大きい。したがって、一方の色のドットのドロップ数を増減したときに、他方の色のドットが一方の色のドットによって隠蔽される率の変化が大きくなる。
【００２０】
そのため、各色のインク液滴の重なり度合いが大きい方の補正単位格子を含む画素部分に対応するヘッドブロックを補正対象とした補正データを生成することで、インク液滴の吐出ドロップ数の増減により２つのヘッドブロックに対応する画素部分間の色差を効率的に補正することができる。
【００２１】
さらに、請求項３に記載した本発明のライン型インクジェット記録装置によれば、請求項２に記載した本発明のライン型インクジェット記録装置において、補正単位格子内に存在するドット数が多い支配色のインク液滴の吐出量を補正データで増減させると、被支配色のインク液滴の吐出量を補正データで増減させるよりも、被支配色のドットに支配色のドットが重なる面積の増減度合いが少なくなる。このため、隣り合う２つのヘッドブロックに対応する画素部分間の色差を、高い分解能で減らすように調整することができる。
【図面の簡単な説明】
【００２２】
【図１】本発明が適用されるライン型インクジェットプリンタとその制御系の概略構成を示すブロック図である。
【図２】図１に示すプリンタ部の画像形成経路を側方から示す説明図である。
【図３】（ａ）は図２のヘッドホルダを下方から示す説明図、（ｂ）は同ヘッドホルダの側断面を拡大して示す説明図である。
【図４】Ｋ（ブラック）とＲ（レッド）のヘッドブロックにそれぞれ設けられるノズル列を示す説明図である。
【図５】（ａ）は図１のインクジェットプリンタによって印刷したカラー画像の一例を示す説明図、（ｂ）は（ａ）のカラー画像の一部を拡大して示す説明図である。
【図６】カラー画像中の補正データを適用する補正対象領域の決定と、決定した補正対象領域に適用するカラー画像中の補正データの生成手順を示すフローチャートである。
【図７】図６の補正単位格子の決定手順を示すフローチャートである。
【図８】（ａ）は補正単位格子内に４つの支配色のドットが存在する場合の補正データを示す説明図、（ｂ）は補正単位格子内に３つの支配色のドットが存在する場合の補正データを示す説明図である。
【図９】図６の補正データの生成手順を示すフローチャートである。
【発明を実施するための形態】
【００２３】
以下、本発明の実施形態について、図面を参照して説明する。なお、各図面を通じて同一もしくは同等の部位や構成要素には、同一もしくは同等の符号を付し、その説明を省略もしくは簡略化する。
【００２４】
（ライン型インクジェットプリンタの全体構成）
図１は本発明が適用されるライン型インクジェットプリンタとその制御系の概略構成を示すブロック図である。図１に示すように、本実施形態のライン型インクジェットプリンタ（以下、「インクジェットプリンタ」と略記する。）１は、原稿上の原稿画像を読み取って画像信号を出力するスキャナ部１０１と、スキャナ部１０１から出力された画像信号に基づいて印刷用紙Ｓ（片面又は両面、図２参照）に原稿画像を印刷（記録）するプリンタ部１０２と、各種表示入力用のディスプレイ１０３と、全体制御用の制御ユニット１０とを備えている。
【００２５】
図２は、本実施形態に係るインクジェットプリンタ１のプリンタ部１０２において、画像形成が行われる画像形成経路ＣＲ１を側方から示す説明図であり、図３（ａ）は、画像形成経路ＣＲ１の上方に配置される図２のヘッドホルダ５００を下方から示す説明図であり、図３（ｂ）は、ヘッドホルダ５００の側断面を拡大して示す説明図である。
【００２６】
（ラインヘッドの構成と配置）
本実施形態に係るインクジェットプリンタ１のプリンタ部１０２は、画像形成部であるラインヘッド１１０を色別に有している。図３（ａ）に示すように、各色のラインヘッド１１０は、主走査方向Ｘに沿ってそれぞれ延在し、副走査方向Ｙに等間隔をおくようにそれぞれ配置されている。また、各色のラインヘッド１１０は、主走査方向Ｘに複数のヘッドブロック１１０ａを並べて構成されており、各ヘッドブロック１１０ａはヘッドホルダ５００にそれぞれ取り付けられている。
【００２７】
図２に示すように、本実施形態に係る印刷装置は、その搬送経路として画像形成経路ＣＲ１を含んでいる。画像形成経路ＣＲ１では、搬送ベルト１６０によって、印刷条件により定められる速度で印刷用紙Ｓが副走査方向Ｙに搬送される。画像形成経路ＣＲ１の上方には、各色のラインヘッド１１０が、搬送ベルト１６０に対向配置され、ラインヘッド１１０に備えられた各ヘッドブロック１１０ａのノズルから、搬送ベルト１６０上の印刷用紙Ｓに対し、ライン単位（ラインヘッド１１０単位）で各色のインクを吐出し、複数の画像を互いに重なり合うように形成する。本実施形態のラインヘッド１１０は、Ｋ（ブラック）とＲ（レッド）のラインヘッド１１０を含んでいる。
【００２８】
図３（ｂ）に示すように、各色のラインヘッド１１０は、副走査方向Ｙに間隔をおいてそれぞれ配置されており、それぞれ複数個ずつのヘッドブロック１１０ａを有している。各色の複数のヘッドブロック１１０ａは、図３（ａ）に示すように、主走査方向Ｘに並べて配置されており、かつ、１つおきに副走査方向Ｙの位置をずらして配置されている。これにより、隣り合う２つのヘッドブロック１１０ａの最端部のノズル（図示せず）どうしの間隔が、各ヘッドブロック１１０ａの隣り合うノズルの間隔と一致するようにしている。
【００２９】
各ヘッドブロック１１０ａは、インクの吐出ドロップ数を各ノズル単位で変えることができる。この吐出するドロップの数（液滴数）により、印刷用紙Ｓの各画素におけるドットの大きさ（ゲイン）と濃度が変化する。
【００３０】
ところで、本実施形態に係る印刷装置では、Ｒ（レッド）の印刷分解能が３００ｄｐｉであるのに対し、Ｋ（ブラック）の印刷分解能が倍の６００ｄｐｉとなっている。そのため、図４の説明図に示すように、Ｒ（レッド）のラインヘッド１１０の各ヘッドブロック１１０ａには１列設けられているノズル列１１０ｂが、Ｋ（ブラック）のラインヘッド１１０の各ヘッドブロック１１０ａには２列設けられている。
【００３１】
Ｋ（ブラック）のヘッドブロック１１０ａに設けられた２列のノズル列１１０ｂは、ノズル間隔の半ピッチ分だけ主走査方向Ｘに位置をずらして配置されている。このため、Ｋ（ブラック）の一方のノズル列１１０ｂのノズル１１０ｃは、主走査方向Ｘにおいて、Ｒ（レッド）のノズル列１１０ｂのノズル（図示せず）と同じ位置に配置されている。また、Ｋ（ブラック）の他方のノズル列１１０ｂのノズル１１０ｃは、主走査方向Ｘにおいて、Ｒ（レッド）のノズル列１１０ｂのノズル（図示せず）に対してノズル間隔の半ピッチ分だけずれた位置に配置されている。
【００３２】
なお、Ｒ（レッド）よりもＫ（ブラック）の印刷分解能を高くするのに伴い、Ｋ（ブラック）のインク液滴により形成されるドットの大きさ（ゲイン）を、Ｒ（レッド）のインク液滴により形成されるドットの大きさ（ゲイン）よりも小さくする必要がある。そこで、本実施形態に係る印刷装置では、Ｋ（ブラック）のノズル列１１０ｂの各ノズル１１０ｃが吐出するインク液滴の最大ドロップ数を、Ｒ（レッド）のノズル列１１０ｂの各ノズル（図示せず）が吐出するインク液滴の最大ドロップ数よりも少ないドロップ数に設定している。
【００３３】
（ヘッドブロック列間の着弾位置ずれと色合い変化）
ところで、図２を参照して説明したように、各色のラインヘッド１１０のヘッドブロック１１０ａは共通のヘッドホルダ５００に取り付けられている。ヘッドホルダ５００に対してヘッドブロック１１０ａが本来の位置からずれて取り付けられると、そのヘッドブロック１１０ａのノズルから吐出されたインク液滴が、印刷用紙Ｓ上の対応する画素の位置からずれて着弾する。
【００３４】
例えば、ヘッドホルダ５００に対してあるヘッドブロック１１０ａが、本来の位置よりも副走査方向Ｙにずれて取り付けられると、そのヘッドブロック１１０ａのノズルから吐出されるインク液滴の印刷用紙Ｓ上における着弾位置が副走査方向Ｙにずれる。
【００３５】
上述したインクジェットプリンタ１では、単色印刷の他に、２色以上のインク液滴を同じ画素に着弾させて重色を形成するカラー印刷を行う場合がある。このとき、いずれかの色のラインヘッド１１０にヘッドブロック１１０ａの取付位置ずれがあると、そのヘッドブロック１１０ａに対応する印刷用紙Ｓの画素部分において、色合いが正規の色合いから変化する。その理由は、取付位置ずれしたヘッドブロック１１０ａからの着弾位置ずれしたインク液滴と、同じ画素に着弾した他の色のインク液滴との重なる部分の大きさが、正規の大きさから変わるためである。
【００３６】
そして、上述した色合いの変化により、印刷用紙Ｓ上では、取付位置ずれしたヘッドブロック１１０ａのノズルに対応する画素部分とその隣のヘッドブロック１１０ａのノズルに対応する画素部分との間に、同じ色の画像を印刷しても色差が生じてしまう。
【００３７】
図５（ａ）は図１のインクジェットプリンタによって印刷したカラー画像の一例を示す説明図、（ｂ）は（ａ）のカラー画像の枠で囲んだ部分を拡大して示す説明図である。この枠で囲んだ部分は、１つ目と２つ目のヘッドブロック１１０ａのつなぎ目に対応する画素部分を含んでいる。
【００３８】
例えば、Ｋ（ブラック）とＲ（レッド）の２色を用い、共に３００ｄｐｉの印刷分解能で図５（ａ）のカラー画像を印刷した場合は、図４に示すＫ（ブラック）の片方のノズル列１１０ｂの各ノズルと、Ｒ（レッド）のノズル列１１０ｂの各ノズルから、Ｋ（ブラック）とＲ（レッド）のインク液滴がそれぞれ吐出される。
【００３９】
このとき、各ノズルからＫ（ブラック）のインク液滴をそれぞれ吐出させるノズル列１１０が、Ｒ（レッド）に対してノズルの位置がノズル間隔の半ピッチ分だけ主走査方向Ｘにずれている方のノズル列１１０であるとすると、印刷用紙Ｓ上には、主走査方向Ｘにおいて、Ｋ（ブラック）の２つのドットの中間にＲ（レッド）のインク液滴のドットが形成される。
【００４０】
ここで、図５（ａ）のカラー画像中の枠で囲んだ、１つ目のヘッドブロック１１０ａ（ヘッド列１）に対応する画素部分と２つ目のヘッドブロック１１０ａ（ヘッド列２）に対応する画素部分とに跨る部分に、同じ色合いのベタ画像が存在するものとする。また、このベタ画像は、図５（ｂ）に拡大して示すように、主走査方向Ｘ及び副走査方向Ｙにおいて、Ｒ（レッド）のドットがＫ（ブラック）の２つのドット間に１ドットおきに配置されるような色合いであるものとする。
【００４１】
そして、Ｒ（レッド）のラインヘッド１１０の２つ目のヘッドブロック１１０ａに、主走査方向Ｘや副走査方向Ｙへの取付位置ずれがあったものとする。すると、印刷用紙Ｓの２つ目のヘッドブロック１１０ａ（ヘッド列２）に対応する画素部分において、Ｒ（レッド）のインク液滴の着弾位置が正規の位置から主走査方向Ｘや副走査方向Ｙにずれる。
【００４２】
これにより、１つ目のヘッドブロック１１０ａ（ヘッド列１）に対応する画素部分と２つ目のヘッドブロック１１０ａ（ヘッド列２）に対応する画素部分とで、Ｒ（レッド）のインク液滴の着弾位置が異なるようになる。すると、Ｋ（ブラック）のインク液滴と重なって隠蔽されるＲ（レッド）のインク液滴の位置や大きさ（面積）が、ヘッド列１とヘッド列２とで異なるようになる。よって、ヘッド列１に対応する画素部分とヘッド列２に対応する画素部分との間で、Ｋ（ブラック）とＲ（レッド）との重色に色差が生じる。
【００４３】
そこで、図５（ａ）のカラー画像を印刷用紙Ｓに一度テスト印刷してみて、上述したようなヘッド列１とヘッド列２とに対応する画素部分間で、Ｋ（ブラック）とＲ（レッド）との重色に色差が生じた場合は、その色差を抑制して図５（ａ）のカラー画像を本印刷することが考えられる。
【００４４】
ヘッド列１とヘッド列２とに対応する画素部分間の色差を抑制するには、ヘッド列１，２のどちらか又は両方に対応する画素部分において、Ｋ（ブラック）のインク液滴によるＲ（レッド）のインク液滴の隠蔽位置や大きさ（面積）を変えることが考えられる。Ｋ（ブラック）のインク液滴によるＲ（レッド）のインク液滴の隠蔽位置や大きさ（面積）は、どちらかの色のインク液滴のドットゲインを増減することで変えることができる。
【００４５】
そこで、本実施形態のインクジェットプリンタ１では、ヘッドホルダ５００に対するヘッドブロック１１０ａの取付位置ずれに応じて、ノズルから吐出されるインク液滴の吐出量を、各色のラインヘッド１１０のヘッドブロック１１０ａにおけるノズル単位で、制御ユニット１０により調整できるようにしている。インク液滴の吐出量調整には、補正データが用いられる。補正データの詳細については後述する。
【００４６】
（ライン型インクジェットプリンタと周辺機器の電気的構成）
図１に示すように、インクジェットプリンタ１の制御ユニット１０には、外部インタフェース部１１を介して、後述するクライアント端末１４の外部インタフェース部１５が接続されている。制御ユニット１０は、原稿画像の印刷ジョブをクライアント端末１４から受け取り、受け取った印刷ジョブによる原稿画像の画像データを印刷用階調データに変換し、これに基づいて、原稿画像の印刷用紙Ｓへのテスト印刷や本印刷をプリンタ部１０２において実行する。
【００４７】
上述したプリンタ部１０２に印刷動作を行わせるインクジェットプリンタ１の制御ユニット１０は、ＣＰＵ９０を備える。このＣＰＵ９０には、ディスプレイ１０３が接続されている。このディスプレイ１０３は、スキャナ部１０１によって印刷用紙Ｓから画像を読み取るスキャナモードでインクジェットプリンタ１を使用する場合に、読み取った画像の電子データ化や自己診断等のメニューをユーザが選択入力する入力操作部として利用することができる。
【００４８】
そして、制御ユニット１０のＣＰＵ９０は、ＲＯＭ９１に格納されているプログラム及び設定情報に基づいて、ディスプレイ１０３から入力設定される内容に応じたスキャナ部１０１やプリンタ部１０２の動作を制御する。
【００４９】
なお、制御ユニット１０にはＲＡＭ９２が設けられており、ＲＡＭ９２にはディスプレイ１０３から入力されたメニュー選択内容等が随時記憶される。また、ＲＡＭ９２にはフレームメモリ領域が設けられている。このフレームメモリ領域には、クライアント端末１４から制御ユニット１０に入力された印刷ジョブのポストスクリプトデータからＣＰＵ９０が生成する、原稿画像のラスタデータが、プリンタ部１０２に出力されるまでの間、一時的に記憶される。
【００５０】
また、制御ユニット１０には外部記憶装置９３が設けられている。この外部記憶装置９３には、ディスプレイ１０３、プリンタ部１０２のプリンタエンジン、並びに、スキャナ部１０１のファームウェアが、使用する領域を分けてそれぞれ記憶されている。
【００５１】
クライアント端末１４は、ＰＣ（パーソナルコンピュータ）等によって構成されるものであり、ＲＯＭ１７に格納された制御プログラムに基づいて各種の処理を実行するＣＰＵ１６と、ＣＰＵ１６のワーキングエリアとして機能するＲＡＭ１８と、キーボードやマウス等から構成される入力部１９と、液晶ディスプレイ等から構成される出力部２０とを備えている。
【００５２】
ＣＰＵ１６には、上述した外部インタフェース部１５の他に、各種アプリケーションプログラムやデータ等が格納される外部記憶装置２１と、ディスク状記録媒体５０から各種プログラムやデータを読み取るディスクドライブ２２とが接続されている。
【００５３】
ＣＰＵ１６は、アプリケーションプログラムの起動中に入力部１９から印刷指令が入力された場合に、印刷対象の原稿画像のデータを外部記憶装置２１から読み出す等して印刷ジョブを生成し、制御ユニット１０に出力する。この印刷ジョブは、外部記憶装置２１に格納されたプリンタドライバプログラムを実行したＣＰＵ１６がプリンタドライバとして機能することによって、制御ユニット１０に出力することができる。
【００５４】
（ヘッド列間色差の補正処理）
上述したインクジェットプリンタ１の制御ユニット１０は、インクジェットプリンタ１でカラー画像をテスト印刷した結果から得た補正対象領域に、テスト印刷結果から得た補正データを適用して、カラー画像の印刷ジョブに基づいて決定されたノズルからの吐出ドロップ数を増減補正するための処理を行う。これにより、印刷用紙Ｓ上におけるカラー画像のヘッド列間の色差を補正し、印刷用紙Ｓ上の画像の色合いが本来とは異ったものに変化するのを抑制することができる。
【００５５】
そこで、図６のフローチャートを参照して、カラー画像中の補正データを適用する補正対象領域の決定と、決定した補正対象領域に適用するカラー画像中の補正データの生成手順とについて説明する。
【００５６】
まず、制御ユニット１０は、カラー画像を印刷用紙Ｓに印刷する際にインクの吐出タイミングを補正する対象の領域とインク色とを決定する。具体的には、図６に示すように、制御ユニット１０は、吐出ドロップ数補正の対象領域と対象インク色とを決定するために印刷用紙Ｓにテスト印刷したカラー画像をスキャナ部１０１で読み取る（ステップＳ１０１，１０２）。
【００５７】
このテスト印刷とは、制御ユニット１０がクライアント端末１４からの印刷ジョブを受け取った際に、その印刷ジョブを実行してカラー画像を本印刷する前に、そのカラー画像を１部だけ試し印刷することである。ここでは、図５（ａ）のカラー画像のテスト印刷結果をスキャナ部１０１で読み取ったものとする。
【００５８】
そして、制御ユニット１０は、スキャナ部１０１で読み取った図５（ａ）のカラー画像から、２つの隣り合うヘッドブロック１１０ａ，１１０ａのつなぎ目（主走査方向Ｘにおいて５箇所）に対応する位置を抽出する（ステップＳ１０３）。つなぎ目の位置は、１つのラインヘッド１１０における各ヘッドブロック１１０ａのノズルの配列と、スキャナ部１０１で読み取ったカラー画像中の主走査方向Ｘにおけるドットの配列とを解析することで抽出することができる。
【００５９】
次に、制御ユニット１０は、スキャナ部１０１で読み取った図５（ａ）のカラー画像における、各つなぎ目を挟んだ主走査方向Ｘの両側に、一定面積以上の同じ重色のベタ画像が存在するか否かを、印刷ジョブ中のカラー画像の画像データを参照して確認する（ステップＳ１０４）。
【００６０】
どのつなぎ目の両側にも一定面積以上のベタ画像が存在しない場合は（ステップＳ１０４でＮＯ）、ヘッド列間の色差補正が不要であると判断し（ステップＳ１０５）、一連の手順を終了する。両側に一定面積以上のベタ画像が存在するつなぎ目がある場合は（ステップＳ１０４でＹＥＳ）、該当するつなぎ目とその両側のベタ画像の部分を、ヘッド列間の色差補正を行う候補である色差補正対象候補領域として決定する（ステップＳ１０６）。但し、１つの色差補正対象候補領域は、２つ以上のつなぎ目を同時に含まないものとする。
【００６１】
続いて、制御ユニット１０は、決定した各色差補正対象候補領域のつなぎ目を挟んだ両側の各ベタ画像の色合いにしきい値以上の色差があるか否かを確認する（ステップＳ１０７）。しきい値以上の色差があるか否かは、テスト印刷結果からスキャナ部１０１が読み取った図５（ａ）のカラー画像のデータ上の色情報（ＲＧＢ）を、例えばＹＣｂＣｒ表色系やＬａｂ表色系に変換し、各色差補正対象候補領域のつなぎ目を挟んだ両側の各ベタ画像部分同士で比較することで、確認することができる。
【００６２】
どのつなぎ目の両側のベタ画像間にもしきい値以上の色差がない場合は（ステップＳ１０７でＮＯ）、ヘッド列間の色差補正が不要であると判断し（ステップＳ１０５）、一連の手順を終了する。ベタ画像間にしきい値以上の色差があるつなぎ目がある場合は（ステップＳ１０７でＹＥＳ）、制御ユニット１０は、ベタ画像間の色差が最も大きいつなぎ目に対応する色差補正対象候補領域を色差補正対象領域に決定し、これに基づいて、補正単位格子を決定する（ステップＳ１０８）。
【００６３】
補正単位格子とは、重色のベタ画像で構成される色差補正対象領域を、主走査方向Ｘと副走査方向Ｙとに複数に区切った単位画素エリアである。したがって、各補正単位格子には、Ｋ（ブラック）とＲ（レッド）の各インク液滴とが同じパターンで配列されている。そして、この補正単位格子に対して、色差補正対象領域におけるヘッド列間の色差を補正するための補正内容が、補正データとして定義される。
【００６４】
ここで、ステップＳ１０８の補正単位格子の決定手順について、図７のフローチャートを参照して説明する。
【００６５】
まず、制御ユニット１０は、スキャナ部１０１で読み取った図５（ａ）のカラー画像テスト印刷結果のデータから、色差補正対象領域の重色ベタ画像における１０＾ｎ０×１０＾ｎ０（ｄｏｔ）の格子内における、重色のベタ画像を構成するために印刷用紙Ｓの各画素に吐出されたＫ（ブラック）とＲ（レッド）の各インク液滴の配置パターンを、重色印字パターンとして抽出する（ステップＳ１０８ａ）。
【００６６】
次に、制御ユニット１０は、抽出した重色印字パターンから、色差補正対象領域内のカラー画像に使用されたＫ（ブラック）とＲ（レッド）の２色を、色差補正対象領域におけるドット数が多い色（支配色）とドット数が少ない色（被支配色）とに分類する（ステップＳ１０８ｂ）。ここでは、図５（ｂ）から明らかなように、Ｋ（ブラック）が支配色となり、Ｒ（レッド）が被支配色となる。
【００６７】
続いて、制御ユニット１０は、｛（１０×ｎ０）×（１０×ｎ０）｝（ｄｏｔ）の格子内に、被支配色（レッド）のインク液滴のドットが１ドットしか存在しないか否かを確認する（ステップＳ１０８ｃ）。２ドット以上存在する場合は（ステップＳ１０８ｃでＮＯ）、ｎ０の変数を１つ減らして（ステップＳ１０８ｄ）、ステップＳ１０８ａにリターンする。
【００６８】
一方、被支配色（レッド）のインク液滴のドットが｛（１０×ｎ０）×（１０×ｎ０）｝（ｄｏｔ）の格子内に１ドットしか存在しない場合は（ステップＳ１０８ｃでＹＥＳ）、その時点の｛（１０×ｎ０）×（１０×ｎ０）｝（ｄｏｔ）の格子を補正単位格子の大きさとして決定し、ＲＡＭ９２のバッファエリア又は外部記憶装置９３に記憶させた後（ステップＳ１０８ｅ）、一連の手順を終了して、図６のステップＳ１０９の手順に移行する。
【００６９】
図６のステップＳ１０９では、制御ユニット１０は、色差補正対象領域のつなぎ目の両側のヘッド列に対応する画素部分から補正単位格子をそれぞれ抽出して、各補正単位格子内の画像の色合いを求める。この色合いは、スキャナ部１０１で読み取った図５（ａ）のカラー画像のデータにおける各補正単位格子に対応する部分の色情報（ＲＧＢ）を、例えばＹＣｂＣｒ表色系やＬａｂ表色系に変換することで、求めることができる。
【００７０】
次に、制御ユニット１０は、つなぎ目の両側のヘッド列に対応する画素部分同士の色合いの差、即ち、色差が一定のしきい値以上であるか否かを確認する（ステップＳ１１０）。しきい値未満である場合は（ステップＳ１１０でＮＯ）、制御ユニット１０は、両画素部分間に大きな色差が存在しないものとして、つなぎ目の両側のヘッド列に関しては、ヘッドブロック１１０ａの各ノズルから吐出されるインク液滴のドロップ数補正を行う必要がないものと判断する（ステップＳ１１１）。この場合は、補正データを生成せずに一連の手順を終了する。
【００７１】
また、つなぎ目の両側のヘッド列に対応する画素部分同士の色差が一定のしきい値以上である場合は（ステップＳ１１０でＹＥＳ）、制御ユニット１０は、両画素部分間に大きな色差が存在するものとして、両者の色差を縮小（抑制）するための、インク液滴の吐出ドロップ数の補正内容を求める。
【００７２】
ここで、つなぎ目の両側のヘッド列に対応する画素部分同士の色差を縮小させるためには、支配色（Ｋ（ブラック））のドットと被支配色（Ｒ（レッド））のドットとの単位格子内における重なり度合いを増減させるのが効果的である。支配色のドットと被支配色のドットとの重なり度合いは、被支配色のドットに重なった支配色のドットが被支配色のドットを隠す面積率（隠蔽率）によって表すことができる。
【００７３】
そして、被支配色（Ｒ（レッド））のドットの隠蔽率は、複数の支配色（Ｋ（ブラック））のドットの重心位置と、被支配色（Ｒ（レッド））のドットの重心位置との位置関係から、簡易的に把握することができる。以下、重心位置を基準に被支配色（Ｒ（レッド））のドットの隠蔽率の大小を判断するものとして説明する。
【００７４】
まず、制御ユニット１０は、補正単位格子内の支配色（Ｋ（ブラック））の全ドットの重心位置と被支配色（Ｒ（レッド））のドットの重心位置との重心位置間距離を、つなぎ目を挟んだ両側のヘッド列に対応する画素部分同士で比較する（ステップＳ１１２）。
【００７５】
そして、補正単位格子内の重心位置間距離が長い方の画素部分に対応するヘッド列のヘッドブロック１１０ａに関しては（ステップＳ１１２でＮＯ）、その画素部分の画素に対してノズルから吐出されるインク液滴のドロップ数補正を行う必要がないものと判断する（ステップＳ１１１）。この場合は、補正データを生成せずに一連の手順を終了する。
【００７６】
一方、補正単位格子内の重心位置間距離が短い方の画素部分に対応するヘッド列のヘッドブロック１１０ａに関しては（ステップＳ１１２でＹＥＳ）、その画素部分の画素に対してノズルから吐出されるインク液滴のドロップ数補正を行う対象（ヘッド間色差補正対象）であると決定する（ステップＳ１１３）。したがって、ヘッドホルダ５００に対する取付位置がずれたヘッドブロック１１０ａのヘッド列ではなく、その隣のヘッドブロック１１０ａのヘッド列が、ヘッド間色差補正対象となる場合もある。
【００７７】
ここで、補正単位格子内の重心位置間距離が短い画素部分は、重心位置間距離が長い画素部分よりも、支配色のドットと被支配色のドットとが重なる面積が大きい。したがって、支配色のドットのドロップ数を増減したときの被支配色のドットの隠蔽率の変化が大きくなる。そのため、重心位置間距離が短い画素部分に対応するヘッド列のヘッドブロック１１０ａをヘッド間色差補正対象とすることで、インク液滴の吐出ドロップ数の増減により色合いを効率的に補正することができる。
【００７８】
また、補正単位格子内の支配色のドット数が異なると、支配色の全ドットの重心位置が変わる。そして、図８（ａ）に示すように、補正単位格子内の支配色のドットが４つである場合は、支配色と被支配色との重心位置間距離が短い１列目（ヘッド列１）が、補正対象のヘッドブロック１１０ａとなる。また、図８（ｂ）に示すように、補正単位格子内の支配色のドットが３つである場合は、支配色と被支配色との重心位置間距離が短い２列目（ヘッド列２）が、補正対象のヘッドブロック１１０ａとなる。よって、補正単位格子内の支配色のドット数が異なると、補正データで定義する補正対象のドットの位置が変わることがある。
【００７９】
そして、制御ユニット１０は、カラー画像の本印刷を行う際に使用する、ヘッド間色差補正対象のヘッドブロック１１０ａのヘッド列から吐出するインク液滴のドロップ数の補正データを生成し、ＲＡＭ９２のバッファエリア又は外部記憶装置９３に記憶させる（ステップＳ１１４）。補正データの生成において、制御ユニット１０は、図９に示すように、ヘッド間色差補正対象のヘッドブロック１１０ａ（のヘッド列）に対応する、つなぎ目の両側のうち補正単位格子内の重心位置間距離が短い方の画素部分を、複数の補正単位格子に分割し、補正単位格子が、色差補正対象領域とその外側との境界の画素を含むか否かを確認する（ステップＳ１１４ａ）。
【００８０】
色差補正対象領域とその外側との境界の画素を含む場合は（ステップＳ１１４ａでＹＥＳ）、制御ユニット１０は、その補正単位格子の画素をヘッド間色差補正対象から除外する（ステップＳ１１４ｂ）。これは、色差補正対象領域とその外側とで、ヘッド間色差補正を行う領域と行わない領域とが隣接し、その相互間で色差が新たに生じるのを防ぐためである。
【００８１】
境界の画素を含まない場合は（ステップＳ１１４ａでＮＯ）、制御ユニット１０は、補正単位格子内の被支配色のドットに最も多く重なっている支配色のドット（画素）に吐出されるインク液滴のドロップ数を色差補正による増減対象とする補正データを生成し、ＲＡＭ９２のバッファエリア又は外部記憶装置９３に記憶させる（ステップＳ１１４ｃ）。
【００８２】
具体的には、ヘッド間色差補正対象のヘッドブロック１１０ａ（のヘッド列）に対応する画素部分の、図６のステップＳ１０９で求めた色合いを、つなぎ目の両側のうち補正単位格子内の重心位置間距離が長い方の画素部分の色合いに近づける場合は、増減対象である支配色のドット（画素）へのインク液滴の吐出ドロップ数を１つ減らす補正データを生成する。
【００８３】
反対に、ヘッド間色差補正対象のヘッドブロック１１０ａ（のヘッド列）に対応する画素部分の、図６のステップＳ１０９で算出した求めた色合いに、つなぎ目の両側のうち補正単位格子内の重心位置間距離が長い方の画素部分の色合いを近づける場合は、増減対象である支配色のドット（画素）へのインク液滴の吐出ドロップ数を１つ増やす補正データを生成する。
【００８４】
但し、色差補正対象領域の画像とその周辺の領域の画像との間の輝度差や色差を、補正によって大きく変化させないように、補正データによるインク液滴の吐出ドロップ数の補正は、増やすよりも減らす内容とすることが望ましい。
【００８５】
なお、印刷用紙Ｓの種類が変わるとドットゲインが変わってドット径が変わり、インク液滴の吐出ドロップ数を増減した際の色合い変化の度合いが変わる。また、印刷用紙Ｓが同じでも、重色の濃度やＫ（ブラック）の印刷分解能が異なると、支配色や被支配色のドットのドット径が変わるので、やはり、インク液滴の吐出ドロップ数を増減した際の色合い変化の度合いが変わる。このため、補正データで定義するインク液滴の吐出ドロップ数の増減内容は、ドットゲインに変化をもたらす要因となる、カラー画像の印刷に用いる印刷用紙Ｓの種類や重色の濃度（支配色と被支配色のドット径）、Ｋ（ブラック）の印刷分解能等を考慮して生成することが望ましい。
【００８６】
また、各色のラインヘッド１１０によって、ヘッドブロック１１０ａのノズルの位置が主走査方向Ｘにおいて異なっている場合（例えば、本実施形態のように、Ｋ（ブラック）の一方のノズル列１１０ｂとＲ（レッド）のノズル列１１０ｂとでノズルの位置がノズル間隔の半ピッチ分ずれている場合等）は、ヘッドブロック１１０ａの取付位置ずれが発生した場合のインク液滴の着弾位置ずれの内容や、それによる色合いの変化の内容が変わる。このため、補正データは、各色のラインヘッド１１０におけるヘッドブロック１１０ａのノズルの位置関係を考慮して生成することが望ましい。
【００８７】
補正データを生成したならば、制御ユニット１０は、そのカラー画像の画像データから変換した印刷用階調データに、テスト印刷結果から生成した補正データを適用して、Ｋ（ブラック）とＲ（レッド）のどちらかのインク液滴の吐出ドロップ数を、ヘッドブロック１１０ａ単位で補正する。そして、補正後の吐出ドロップ数で、Ｋ（ブラック）やＲ（レッド）の各ラインヘッド１１０の対応する列のヘッドブロック１１０ａに設けられたノズルから、インク液滴をそれぞれ吐出させて、カラー画像の本印刷を行う（ステップＳ１１５）。
【００８８】
以上の説明からも明らかなように、本実施形態では、図６のフローチャートにおけるステップＳ１０９及びステップＳ１１０が、請求項中の色差データ算出手段に対応する処理となっている。また、本実施形態では、図６中のステップＳ１１４が、請求項中の生成手段に対応する処理となっている。さらに、本実施形態では、図６中のステップＳ１１５が、請求項中の補正手段に対応する処理となっている。
【００８９】
（作用・効果）
このように、各ヘッド列間の色合いに違いがあるときには、上述したテスト印刷結果から生成した補正データを用いて、Ｋ（ブラック）とＲ（レッド）のどちらかのインク液滴のドロップ数を各ノズル列単位で適宜補正し、カラー画像の本印刷を行う。これにより、各色のラインヘッド１１０における同じ列のヘッドブロック１１０ａの中に、ヘッドホルダ５００に対して主走査方向に位置ずれして取り付けられたものが存在しても、各ヘッド列に対応する画素部分間の色差を抑制することができる。
【００９０】
なお、上述した実施形態では、補正データを生成する元となる、テスト印刷した印刷用紙Ｓのカラー画像から、ヘッド列のつなぎ目を挟んだ両側のベタ画像の色合いに一定以上の色差がある色差補正対象候補領域を決定し、その中で最も色差が大きい色差補正対象候補領域を色差補正対象領域とするものとした。しかし、つなぎ目を挟んだ両側のベタ画像の色合いに一定以上の色差がある色差補正対象候補領域のうちいずれかを、色差が最も大きいか否かに拘わらず色差補正対象領域とするようにしてもよい。
【００９１】
また、色差補正対象領域のつなぎ目の両側のヘッド列に対応する画素部分の色差を求める際に、各画素部分からそれぞれ抽出した補正単位格子の色情報により色差を求める構成を省略し、つなぎ目の両側のヘッド列に対応する画素部分の色情報により色差を求める構成としてもよい。
【００９２】
さらに、テスト印刷したカラー画像から、つなぎ目の両側のヘッド列に対応する画素部分の色合いのデータを、インクジェットプリンタ１以外の装置で取得するようにしてもよい。
【００９３】
また、上述した実施形態では、Ｋ（ブラック）とＲ（レッド）を用いてカラー印刷を行う場合を例に取って説明した。しかし、本発明は、２色のインクを重ねてインクジェット方式でカラー印刷を行うライン型インクジェット記録装置に広く適用可能である。
【符号の説明】
【００９４】
１  ライン型インクジェットプリンタ
１０  制御ユニット
１１  外部インタフェース部
１４  クライアント端末
１５  外部インタフェース部
１６  ＣＰＵ
１７  ＲＯＭ
１８  ＲＡＭ
１９  入力部
２０  出力部
２１  外部記憶装置
２２  ディスクドライブ
５０  ディスク状記録媒体
９０  ＣＰＵ
９１  ＲＯＭ
９２  ＲＡＭ
９３  外部記憶装置
１０１  スキャナ部
１０２  プリンタ部
１０３  ディスプレイ
１１０  ラインヘッド
１１０ａ  ヘッドブロック
１１０ｂ  ノズル列
１１０ｃ  ノズル
１６０  搬送ベルト
５００  ヘッドホルダ
ＣＲ１  画像形成経路
Ｓ  印刷用紙
Ｘ  主走査方向
Ｙ  副走査方向
【図１】
2015066744.tif 000003
【図２】
2015066744.tif 000004
【図３】
2015066744.tif 000005
【図４】
2015066744.tif 000006
【図５】
2015066744.tif 000007
【図６】
2015066744.tif 000008
【図７】
2015066744.tif 000009
【図８】
2015066744.tif 000010
【図９】
2015066744.tif 000011